(57)【要約】【課題】ソフトプルーフにおいて、カラーモニタに表示される画像の色と、実際の印刷物の画像の色を良く一致させる。【解決手段】基準白色を選択（Ｓ１）して、測色する（Ｓ２）。この測色は、非接触型の測色器を用いて、当該基準白色を所定の照明光の下で行う。次に、カラーモニタの白を、その測色値が前記基準白色の測色値と同一になるようにキャリブレーションし（Ｓ３）、当該基準白色の測色値を白の基準値としてカラーモニタプロファイルを作成する（Ｓ４）。一方、出力デバイスについては、当該基準白色の測色値を白の基準値として出力デバイスプロファイルを作成する（Ｓ５）。そして、作成した出力デバイスプロファイルと、カラーモニタプロファイルを用いて、印刷用画像データを色変換処理（Ｓ６）して、カラーモニタ表示用画像データを作成して、カラーモニタに表示する（Ｓ７）。【選択図】  図１
2005094400.tif 000002
【特許請求の範囲】
【請求項１】
出力デバイスプロファイルを作成する際の白の基準値、及びカラーモニタプロファイルを作成する際の白の基準値として、同一の白の基準値を用いることを特徴とするプロファイル作成方法。
【請求項２】
前記白の基準値は、非接触型の測色器を用いて、所望の基準白色を所定の照明光の下で測色した値であることを特徴とする請求項１記載のプロファイル作成方法。
【請求項３】
カラーモニタプロファイルを作成する際の白の基準値として、目視または非接触型の測色器により所望の基準白色の色味と略同一の色味にキャリブレーションした白を測色した値を用いることを特徴とするプロファイル作成方法。
【請求項４】
基準白色を選択して、非接触型の測色器を用いて、当該基準白色を所定の照明光の下で測色する工程と、
カラーモニタの白を、その測色値が前記基準白色の測色値と同一になるようにキャリブレーションする工程と、
前記基準白色の測色値を白の基準値としてカラーモニタプロファイルを作成する工程と、
出力デバイスプロファイルを作成する工程と、
前記出力デバイスプロファイル及び前記カラーモニタプロファイルを用いて、印刷用画像データを色変換処理してカラーモニタ表示用画像データを作成して、カラーモニタに表示する工程と
を備えることを特徴とするソフトプルーフを行う方法。
【請求項５】
カラーモニタの白の色味を、目視または非接触型の測色器により所望の基準白色の色味と略同一の色味にキャリブレーションする工程と、
前記キャリブレーションして得た白を測色して、その測色値を白の基準値としてカラーモニタプロファイルを作成する工程と、
出力デバイスプロファイルを作成する工程と、
前記出力デバイスプロファイル及び前記カラーモニタプロファイルを用いて、印刷用画像データを色変換処理してカラーモニタ表示用画像データを作成して、カラーモニタに表示する工程と
を備えることを特徴とするソフトプルーフを行う方法。
【発明の詳細な説明】
【技術分野】
【０００１】
本発明は、ソフトプルーフを行う方法、及びソフトプルーフを行う場合のカラーマッチングのために用いるプロファイルを作成する方法に関する。
【背景技術】
【０００２】
近年、印刷の分野ではソフトプルーフという手法の需要が高まってきている。ソフトプルーフとは、印刷物を作成するに際して、実際に出力デバイスで印刷を行う前に、カラーモニタに印刷する画像を表示して印刷の仕上がりの色を確認する手法をいう（例えば、特許文献１、特許文献２、特許文献３参照）。
【０００３】
また、本明細書では、カラーモニタとは、光の三原色Ｒ（赤）、Ｇ（緑）、Ｂ（青）の加法混色によって色再現を行うものをいい、出力デバイスとは色材の三原色Ｃ（シアン）、Ｍ（マゼンタ）、Ｙ（イエロー）、Ｋ（墨）を用いた減法混色によって色再現を行うものをいうものとする。
【０００４】
さて、上述したようにソフトプルーフでは印刷の仕上がりの色を確認するのであるから、カラーモニタに表示される画像の色は、その画像を実際に印刷した場合に得られる印刷物の色と一致していることが望まれることは当然である。つまり、カラーモニタに表示される画像の色と、実際の印刷物との色はマッチングされている必要がある。
【０００５】
このようなカラーマッチングを行うため、ソフトプルーフでは図３に示すような色変換処理を行っている。まず、ＣＭＹＫのデータからなる印刷用の画像データを、出力デバイスプロファイルの中の、デバイス色から標準色空間の色に変換するためのプロファイル１を用いて、ＣＭＹＫを標準色空間の色に変換する。
【０００６】
なお、図３では標準色空間としてＬ*ａ*ｂ* 表色系を用いるものとしているが、ＸＹＺ表色系あるいはその他の物理的に明確に定義された標準色空間を用いてもよいことは明らかである。
【０００７】
次に、出力デバイスプロファイル１で色変換して得られた標準色空間の色であるＬ*ａ*ｂ* を、カラーモニタプロファイルの中の、標準色空間の色からデバイス色に変換するためのプロファイル２を用いて、ＲＧＢに色変換し、それをカラーモニタに入力して画像表示を行う。
【０００８】
以上の方法により、カラーモニタにおいてソフトプルーフを作成することができ、出力デバイスとカラーモニタとのカラーマッチングも行われることになる。
【０００９】
なお、カラーモニタは、画像表示を行うに先立ってキャリブレーションを行い、所望の状態に調整しておくことは当然である。このカラーモニタのキャリブレーションは、ソフトプルーフを行うに際しては、カラーバランスの調整を行い、白の色温度が５０００Ｋになるように行うのが通常である。また、このキャリブレーションにおいては、従来では輝度の調整は行われないことが多いが、輝度調整を行う場合には、印刷物とのカラーマッチングの際の標準となっている８０ｃｄ／ｍ2 の輝度となるように調整するのが通常である。
【００１０】
このようなカラーモニタのキャリブレーションの際のカラーバランス、輝度の調整は、カラーモニタ本体に設けられているカラーバランス調整摘みや、輝度調整摘みを操作することによって行ってもよく、あるいは、カラーモニタに画像信号を供給するコンピュータに搭載されているビデオボードにカラーバランス調整や輝度調整の機能が搭載されている場合には、その機能を用いて調整を行ってもよい。何れにしても、このカラーモニタのキャリブレーションを行うための方法それ自体は本質的な事項ではない。
【００１１】
また、図３に示すカラーマッチングのための色変換処理を行うのに用いる出力デバイスプロファイル及びカラーモニタプロファイルは予め作成しておけばよい。なお、ＩＣＣプロファイルの作成方法自体は周知であるので、詳細な説明は省略する。
【００１２】
また、出力デバイスプロファイル、及びカラーモニタプロファイルの構造は上記の色変換を行えるものであればどのようなものであってもよいが、ここでは、カラーマネージメントシステムに広く用いられているＩＣＣプロファイルを用いるものとする。従って、図３の出力デバイスプロファイル１としては、実際に印刷に用いる出力デバイスのプロファイルの中のＡ２Ｂタグと称される、デバイス色を標準色空間の色に変換するためのものを用い、図３のカラーモニタプロファイル２としては、当該カラーモニタのプロファイルの中のＢ２Ａタグと称される、標準色空間の色をデバイス色に変換するためのものを用いる。
【特許文献１】特開平１０−６５９３０号公報
【特許文献２】特開２０００−２０９４４９号公報
【特許文献３】特開平９−１１６７６７号公報
【発明の開示】
【発明が解決しようとする課題】
【００１３】
しかしながら、従来のソフトプルーフにおいては、カラーモニタに表示された画像と、実際の印刷物の画像とで色が合っていないという印象を受けることが多いものであった。本発明者の研究によれば、その原因は次のような事項に起因するものであることが判明した。
【００１４】
一つとして、出力デバイスプロファイルを作成する際の白の基準値と、カラーモニタプロファイルを作成する際の白の基準値が異なっていることが挙げられる。まず、出力デバイスプロファイルの作成に際しては、周知のように、所定のカラーチャートを印刷して、カラーチャートの一つ一つのカラーパッチを測色して、各カラーパッチについて、印刷に用いたＣＭＹＫの値と、測色値であるＬ*ａ*ｂ* の値との対応を求め、それに基づいて出力デバイスプロファイルを作成するのであるが、その際に白の基準となるのは、通常は完全白色板を測色して得たＬ*ａ*ｂ* の値である。即ち、完全白色板の測色値Ｌ*ａ*ｂ* の値を、Ｌ* ＝１００，ａ* ＝ｂ* ＝０として、各カラーパッチの測色値のＬ*ａ*ｂ* の値を正規化しているのである。つまり、出力デバイスプロファイルを作成する際の白の基準は完全白色板の白なのである。
【００１５】
なお、完全白色板とは、分光反射率が全可視光領域にわたってほぼ１．０に近く、しかも鏡面反射しない平滑な表面をもった板状の物体であり、酸化マグネシウムまたは硫酸バリウム等の粉末を平板上に塗布して固めたものである。
【００１６】
これに対して、カラーモニタプロファイルの作成に際しては、所定のカラーチャートを表示して、カラーチャートの一つ一つのカラーパッチを測色して、各カラーパッチについて、表示に用いたＲＧＢの値と、測色値であるＬ*ａ*ｂ* の値との対応を求め、それに基づいてカラーモニタプロファイルを作成するのであるが、その際に白の基準となるのは、上述したキャリブレーションを行った後の状態でＲＧＢを最大に発光させたときを白として、その白を測色して得たＬ*ａ*ｂ* の値である。即ち、キャリブレーションを行った後の状態でＲＧＢを最大に発光させたときの白の測色値Ｌ*ａ*ｂ* の値を、Ｌ* ＝１００，ａ* ＝ｂ* ＝０として、各カラーパッチの測色値のＬ*ａ*ｂ* の値を正規化しているのである。つまり、カラーモニタプロファイルを作成する際の白の基準はキャリブレーション後の状態でＲＧＢを最大に発光させたときの白なのである。
【００１７】
このように、従来では、出力デバイスプロファイルを作成する際の白の基準値と、カラーモニタプロファイルを作成する際の白の基準値が異なっているので、カラーモニタのキャリブレーションを行い、図３に示す色変換処理を行った場合に色ずれが発生して、カラーモニタに画像を表示した場合、カラーモニタの画像の色と、実際の印刷物の画像の色とは異なってくるのである。
【００１８】
次に、従来においては、出力デバイスプロファイルを作成する場合も、カラーモニタプロファイルを作成する場合も照明光の影響が反映されていないことが挙げられる。即ち、出力デバイスプロファイルを作成する際の完全白色板、及びカラーチャートの各カラーパッチの測色は、いわゆる接触型の測色器を用いて、印刷における標準の光であるＤ５０の光の下で行っており、カラーモニタプロファイルを作成する際の基準の白、及びカラーチャートの各カラーパッチの測色は、接触型の測色器で基準の白の部分、及び各カラーパッチの部分からの光を受光することによって行っている。
【００１９】
このように、出力デバイスプロファイルを作成する場合も、カラーモニタプロファイルを作成する場合も照明光の影響は反映されていないのであるが、しかし、実際に画像の観察は何等かの照明光の下で行われるのが通常であり、その結果、実際に観察される色と、測色値が一致しないという問題が生じ、カラーモニタの画像の色と、実際の印刷物の画像の色とが違うという印象を与える一因となっている。
【００２０】
更に、従来において、ソフトプルーフを行う際に行うカラーモニタのキャリブレーションは、上述したように色温度の調整のみを行っているのが現状であり、輝度調整は、行ったとしても、上述したように輝度を８０ｃｄ／ｍ2 となるようにするだけでる。しかし、このような調整を行った状態でＲＧＢを最大に発光させたときの白の輝度は、印刷物の白の輝度とは異なるのが一般的であり、このことも、従来のソフトプルーフにおいてはカラーモニタの画像の色と、実際の印刷物の画像の色とが違うという印象を与える一因となっている。つまり、従来のソフトプルーフにおいては、カラーモニタのキャリブレーションも問題であったのである。
【００２１】
そこで、本発明は、ソフトプルーフにおいて、カラーモニタに表示される画像の色と、実際の印刷物の画像の色を良く一致させることができるソフトプルーフを行う方法、及びソフトプルーフを行う場合のカラーマッチングのために用いるプロファイルを作成する方法を提供することを目的とするものである。
【課題を解決するための手段】
【００２２】
上記の目的を達成するために、本発明に係るプロファイル作成方法は、出力デバイスプロファイルを作成する際の白の基準値、及びカラーモニタプロファイルを作成する際の白の基準値として、同一の白の基準値を用いることを特徴とする。
【００２３】
前記白の基準値は、非接触型の測色器を用いて、所望の基準白色を所定の照明光の下で測色した値であることを特徴とする。
【００２４】
また、本発明に係るプロファイル作成方法は、カラーモニタプロファイルを作成する際の白の基準値として、目視または非接触型の測色器により所望の基準白色の色味と略同一の色味にキャリブレーションした白を測色した値を用いることを特徴とする。
【００２５】
本発明に係るソフトプルーフを行う方法は、基準白色を選択して、非接触型の測色器を用いて、当該基準白色を所定の照明光の下で測色する工程と、カラーモニタの白を、その測色値が前記基準白色の測色値と同一になるようにキャリブレーションする工程と、
前記基準白色の測色値を白の基準値としてカラーモニタプロファイルを作成する工程と、出力デバイスプロファイルを作成する工程と、前記出力デバイスプロファイル及び前記カラーモニタプロファイルを用いて、印刷用画像データを色変換処理してカラーモニタ表示用画像データを作成して、カラーモニタに表示する工程とを備えることを特徴とする。
【００２６】
また、本発明に係るソフトプルーフを行う方法は、カラーモニタの白の色味を、目視または非接触型の測色器により所望の基準白色の色味と略同一の色味にキャリブレーションする工程と、前記キャリブレーションして得た白を測色して、その測色値を白の基準値としてカラーモニタプロファイルを作成する工程と、出力デバイスプロファイルを作成する工程と、前記出力デバイスプロファイル及び前記カラーモニタプロファイルを用いて、印刷用画像データを色変換処理してカラーモニタ表示用画像データを作成して、カラーモニタに表示する工程とを備えることを特徴とする。
【発明の効果】
【００２７】
本発明に係るプロファイル作成方法においては、出力デバイスプロファイルを作成する際の白の基準値、及びカラーモニタプロファイルを作成する際の白の基準値として、同一の白の基準値を用いるので、印刷用画像データをカラーモニタ表示用画像データに色変換処理する際の色ずれの発生を防止することができ、以てソフトプルーフを行った場合、カラーモニタの画像の色と、実際の印刷物の画像の色とを良く合ったものとすることが可能である。
【００２８】
当該白の基準値は、非接触型の測色器を用いて、所望の基準白色を所定の照明光の下で測色した値とするので、この白の基準値は照明光の影響も反映されたものとなり、ソフトプルーフを行った場合に、カラーモニタの画像の色と、実際の印刷物の画像の色とは良く合ったものとすることができる。
【００２９】
また、本発明に係るプロファイル作成方法は、カラーモニタプロファイルを作成する際の白の基準値として、目視または非接触型の測色器により所望の基準白色の色味と略同一の色味にキャリブレーションした白を測色した値を用いるので、両者のプロファイルの白の基準値を略同一なものとすることができ、印刷用画像データをカラーモニタ表示用画像データに色変換処理する際の色ずれの発生を最小限に留めることができ、更に、カラーモニタのキャリブレーションは照明光の下で行われるので、カラーモニタの白には当該照明光の影響が反映されており、これらの相乗効果として、ソフトプルーフを行った場合、カラーモニタの画像の色と、実際の印刷物の画像の色とを良く合ったものとすることができるという効果が奏されるものである。
【００３０】
また、本発明に係るソフトプルーフを行う方法は、基準白色を選択して、非接触型の測色器を用いて、当該基準白色を所定の照明光の下で測色する工程と、カラーモニタの白を、その測色値が前記基準白色の測色値と同一になるようにキャリブレーションする工程と、前記基準白色の測色値を白の基準値としてカラーモニタプロファイルを作成する工程と、出力デバイスプロファイルを作成する工程と、前記出力デバイスプロファイル及び前記カラーモニタプロファイルを用いて、印刷用画像データを色変換処理してカラーモニタ表示用画像データを作成して、カラーモニタに表示する工程とを備えるので、出力デバイスプロファイルを作成する際の白の基準値と、カラーモニタプロファイルを作成する際の白の基準値とを同じ白の基準値とし、カラーモニタのキャリブレーションを行い、色変換処理を行ってカラーモニタに画像を表示してソフトプルーフを行った場合、カラーモニタの画像の色と、実際の印刷物の画像の色とは良く合ったものとなる。
【００３１】
更に、カラーモニタのキャリブレーションについては、従来とは異なって、カラーモニタに表示した白が、予め基準とする白として選択された白紙の白と一致するように、輝度及び色度を調整するので、カラーモニタの白の色味と印刷物の白紙の色味とが一致することとなり、ソフトプルーフを行った場合、カラーモニタの画像の色と、実際の印刷物の画像の色とが違うという印象を与えることを回避することができるものである。
【００３２】
そして、以上の相乗効果として、ソフトプルーフにおいて、カラーモニタに表示される画像の色と、実際の印刷物の画像の色を良く一致させることができるという効果が奏されるものである。
【００３３】
また更に、本発明に係るソフトプルーフを行う方法は、カラーモニタの白の色味を、目視により所望の基準白色の色味と略同一の色味にキャリブレーションする工程と、前記キャリブレーションして得た白を測色して、その測色値を白の基準値としてカラーモニタプロファイルを作成する工程と、出力デバイスプロファイルを作成する工程と、前記出力デバイスプロファイル及び前記カラーモニタプロファイルを用いて、印刷用画像データを色変換処理してカラーモニタ表示用画像データを作成して、カラーモニタに表示する工程とを備えるので、キャリブレーションにより、カラーモニタの白の色味は、選択した基準白色の色味と略同等となされるので、両者のプロファイルの白の基準値は略同一なものとすることができる。また、カラーモニタのキャリブレーションは照明光の下で行われるので、カラーモニタの白には当該照明光の影響が反映されている。そして、これらの相乗効果として、ソフトプルーフにおいて、カラーモニタに表示される画像の色と、実際の印刷物の画像の色を良く一致させることができるという効果が奏されるものである。
【発明を実施するための最良の形態】
【００３４】
以下、図面を参照しつつ発明の実施の形態について説明する。
【００３５】
［第１の実施形態］
図１は本発明に係るソフトプルーフを行う方法、及びプロファイルの作成方法の第１の実施形態を説明するためのフローチャートである。
【００３６】
まず、最初に、基準とする所望の白色を選択する（ステップＳ１）。実際には、基準とする白色の紙を選択すればよい。このような紙としては、実際に印刷に用いる紙を用いれるのが望ましい。以下では、所望の白紙を選択したものとする。
【００３７】
次に、ステップＳ１で選択した白紙の白色を測色する（ステップＳ２）。この測色は非接触型の測色器を用いて、適宜な照明光の下において行う。この照明光としてはどのようなものでもよいが、実際の印刷物が観察されると予測される代表的な照明光を用いるのが実際的である。
【００３８】
以上のことから、この測色によれば、測色の結果得られた標準色空間の色であるＬ*ａ*ｂ* の値には当該白紙による照明光の反射光も含まれることになる。つまり、当該測色値Ｌ*ａ*ｂ* の値には照明光の影響が反映されたものとなる。
【００３９】
このようにして基準の白色となる白紙の測色を行うと、次に、カラーモニタのキャリブレーション（ステップＳ３）及びカラーモニタプロファイルの作成（ステップＳ４）と、出力デバイスプロファイルの作成（ステップＳ５）を行う。このステップＳ３、Ｓ４の工程と、ステップＳ５の工程はどちらを先に行ってもよく、また同時並行して行ってもよい。
【００４０】
ステップＳ３のカラーキャリブレーションの工程では、当該カラーモニタに表示した白が、前記ステップＳ１で選択した基準白色の白紙の白と一致あるいは略一致するように、輝度及び色度を調整する。ここで、色度とは、色の要素の輝度以外の要素であり、色の要素として輝度、色相、彩度の３つあがるとすると、輝度以外の色相、彩度を一纏めとした総称が色度である。
【００４１】
上記のキャリブレーションを厳密に行うには、カラーモニタに白を表示し、非接触型の測色器を用いて、照明光の影響をも反映した状態で測色を行いながら輝度及び色度の調整を行い、カラーモニタの白の測色値Ｌ*ａ*ｂ* がステップＳ２で測色した基準の白の白紙の測色値Ｌ*ａ*ｂ* と一致するようにすればよい。これにより、カラーモニタに表示される白の色味を、ステップＳ１で選択した白紙の基準の白の色味と一致させることができる。
【００４２】
しかし、このステップＳ３のカラーモニタのキャリブレーションを簡略的に行うことも可能であり、その場合には、目視によって基準の白と、カラーモニタに表示した白を見比べながら、カラーモニタの白の色味が基準の白の色味と略一致するように輝度及び色度を調整すればよい。これにより、カラーモニタに表示される白の色味を、ステップＳ１で選択した基準白色の色味と略一致させることができる。そして、この簡略的なキャリブレーションは所定の照明光の下で行われるので、キャリブレーションで定めた白には、照明光の影響も反映されているものである。
【００４３】
なお、上述した白の色度について説明すると次のようである。白は無彩色で、輝度があるのみで、色度は無いとされているが、多くの場合、実際にカラーモニタに表示される白には色度もあるものである。即ち、上述した通り、カラーモニタでＲＧＢを最大に発光させたときが白なのであるが、その状態からＲ，Ｇ及び／またはＢを多少変更しても、その色に順応することによって、その色が白と認識されるようになるのである。このようにカラーモニタに表示される白には輝度だけでなく色度もあるのであり、この輝度と色度の違いが白の色味の相違となって表れるのである。
【００４４】
カラーモニタのキャリブレーションの次はカラーモニタプロファイルの作成を行う（ステップＳ４）。カラーモニタへのカラーチャートの表示、及びそのカラーチャートの一つ一つのカラーパッチの測色は従来と同様に行えばよい。このときの測色は、接触型の測色器を用いてもよく、非接触型の測色器を用いてもよい。
【００４５】
このカラーモニタプロファイルの作成において重要なことは、白の基準値として、ステップＳ２で測色して得た基準白色の測色値を用いることである。この点は、このソフトプルーフを行う方法におけるプロファイルの作成方法の大きな特徴である。
【００４６】
ＩＣＣプロファイルの作成に関する規格によれば、白の基準値は任意に設定できるので、上記のように白の基準値として、ステップＳ２で測色して得た基準白色の測色値を用いることは何等問題はないものである。
【００４７】
カラーチャートの全てのカラーパッチを測色した後は、白の基準値を与え、従来手法によってカラーモニタプロファイルを作成すればよい。
【００４８】
ステップＳ５の出力デバイスプロファイルの作成の工程は次のようである。この工程では、従来と同様に、実際に画像の印刷に用いる紙に所定のカラーチャートを印刷して、各カラーパッチを測色して、各カラーパッチのＣＭＹＫの値と、測色Ｌ*ａ*ｂ* 値との対応関係に基づいてプロファイルを作成する。このときの測色は、接触型の測色器を用いてもよく、非接触型の測色器を用いてもよい。
【００４９】
このようにして、出力デバイスプロファイル及びカラーモニタプロファイルの作成を行ったら、その作成した出力デバイスプロファイルと、カラーモニタプロファイルを用いて、図３に示す色変換処理を行い（ステップＳ６）、カラーモニタ表示用画像データを得、その得られたＲＧＢのカラーモニタ表示用画像データをカラーモニタに供給して画像の表示（ステップＳ７）を行う。以上の工程によりソフトプルーフが形成される。
【００５０】
上述した方法によれば、出力デバイスプロファイルを作成する際の白の基準値と、カラーモニタプロファイルを作成する際の白の基準値とを同じ白の基準値、具体的には上述した通り、基準の白として選択した白の測色値を用いるので、カラーモニタのキャリブレーションを行い、図３に示す色変換処理を行ってカラーモニタに画像を表示してソフトプルーフを行った場合、色変換処理時に色ずれが発生することを回避することができ、カラーモニタの画像の色と、実際の印刷物の画像の色とは良く合ったものとなる。
【００５１】
更に、カラーモニタのキャリブレーションについては、従来とは異なって、カラーモニタに表示した白が、予め基準とする白として選択された白紙の白と一致あるいは略一致するように、輝度及び色度を調整するので、カラーモニタの白の色味と印刷物の白紙の色味とが一致あるいは略一致することとなり、ソフトプルーフを行った場合、カラーモニタの画像の色と、実際の印刷物の画像の色とが違うという印象を与えることを回避することができるものである。
【００５２】
そして、以上の相乗効果として、ソフトプルーフにおいて、カラーモニタに表示される画像の色と、実際の印刷物の画像の色を良く一致させることができるという効果が奏されるものである。
【００５３】
［第２の実施形態］
次に、本発明に係るソフトプルーフを行う方法、及びプロファイルの作成方法の第２の実施形態を図２のフローチャートを参照して説明する。上述した第１の実施形態を厳密な方法とすれば、この第２の実施形態は簡略的な方法ということができるが、従来のソフトプルーフの方法に比較すると、カラーモニタの画像の色と、印刷物の画像の色をより合わせることができるものである。
【００５４】
まず、最初に、基準とする所望の白色を選択する（ステップＳ１１）。これは上述した第１の実施形態を説明する図１のステップＳ１と全く同じであり、実際には、基準とする白色の紙を選択すればよい。このような紙としては、実際に印刷に用いる紙を用いれるのが望ましい。以下では、所望の白紙を選択したものとする。
【００５５】
次に、カラーモニタのキャリブレーション（ステップＳ１２）及びカラーモニタプロファイルの作成（ステップＳ１３）と、出力デバイスプロファイルの作成（ステップＳ１４）を行う。このステップＳ１２、Ｓ１３の工程と、ステップＳ１４の工程はどちらを先に行ってもよく、また同時並行して行ってもよい。
【００５６】
ステップＳ１２のカラーキャリブレーションの工程では、当該カラーモニタに表示した白が、前記ステップＳ１１で選択した基準白色と略一致するように、輝度及び色度を調整する。
【００５７】
このカラーモニタのキャリブレーションは、目視によって基準白色と、カラーモニタに表示した白を見比べながら、カラーモニタの白の色味が基準白色の色味と略一致するように輝度及び色度を調整する。これにより、カラーモニタに表示される白の色味を、ステップＳ１１で選択した基準白色の色味と略一致させることができる。上述した第１の実施形態では基準白色の測色を行ったので、カラーモニタに白を表示し、その白を測色しながらカラーモニタの白の測色値Ｌ*ａ*ｂ* が基準白色の測色値Ｌ*ａ*ｂ* と一致するようにすればよいが、この第２の実施形態では基準白色の測色は行わないので、上述したように目視により行う。
【００５８】
そして、このカラーモニタのキャリブレーションは所定の照明光の下で行われるので、キャリブレーションで定めた白には、照明光の影響も反映されているものである。
【００５９】
カラーモニタについては、キャリブレーションの次にカラーモニタプロファイルの作成を行う（ステップＳ１３）。このときには、従来と同様に、カラーモニタにカラーチャートを表示し、そのカラーチャートの一つ一つのカラーパッチを測色して、各カラーパッチのＲＧＢ値と、測色Ｌ*ａ*ｂ* との対応関係に基づいてプロファイルを作成するのであるが、ここで重要なことは、カラーモニタプロファイルを作成する際の白の基準値として、ステップＳ１２で行ったキャリブレーションで定めた白の測色値を用いることである。この点は、このソフトプルーフを行う方法におけるプロファイルの作成方法の第２の実施形態において大きな特徴である。
【００６０】
キャリブレーションで定めた白の測色と、カラーチャートの表示及びその測色は別個に行ってもよいが、キャリブレーションで定めた白を背景色としてカラーチャートを表示するようにすれば、白の測色と、カラーチャートの各カラーパッチの測色とを一連の作業で行うことができるので便利である。
【００６１】
なお、キャリブレーションで定めた白の測色、及びカラーチャートの各カラーパッチの測色は、接触型の測色器を用いてもよく、非接触型の測色器を用いてもよい。
【００６２】
このようにして、キャリブレーションで定めた白の測色、カラーチャートの全てのカラーパッチの測色を行った後は、白の測色値を白の基準値として与え、従来手法によってカラーモニタプロファイルを作成すればよい。
【００６３】
ステップＳ１４の出力デバイスプロファイルの作成の工程は次のようである。この工程では、従来と同様に、ステップＳ１１で選択した基準白色の紙に所定のカラーチャートを印刷して、各カラーパッチを測色して、各カラーパッチのＣＭＹＫの値と、測色Ｌ*ａ*ｂ* 値との対応関係に基づいてプロファイルを作成する。このときの白及びカラーパッチの測色は、接触型の測色器を用いてもよく、非接触型の測色器を用いてもよい。
【００６４】
このようにして、出力デバイスプロファイル及びカラーモニタプロファイルの作成を行ったら、その作成した出力デバイスプロファイルと、カラーモニタプロファイルを用いて、図３に示す色変換処理を行い（ステップＳ１５）、カラーモニタ表示用画像データを得、その得られたＲＧＢのカラーモニタ表示用画像データをカラーモニタに供給して画像の表示（ステップＳ１６）を行う。以上の工程によりソフトプルーフが形成される。
【００６５】
上述した方法によれば、上述した第１の実施形態のように出力デバイスプロファイルを作成する際の白の基準値と、カラーモニタプロファイルを作成する際の白の基準値とを全く同一とすることは難しいが、キャリブレーションの結果、カラーモニタの白の色味は、選択した基準白色の色味と略同等となされるので、両者のプロファイルの白の基準値は略同一なものとすることができ、色変換処理時に色ずれが生じたとしても、色ずれを最小限に留めることができる。
【００６６】
また、カラーモニタのキャリブレーションは照明光の下で行われるので、カラーモニタの白には当該照明光の影響が反映されている。そして、これらの相乗効果として、ソフトプルーフにおいて、カラーモニタに表示される画像の色と、実際の印刷物の画像の色を良く一致させることができるという効果が奏されるものである。
【産業上の利用可能性】
【００６７】
以上説明したように、本発明によれば、出力デバイスプロファイルとカラーモニタプロファイルを作成する際の白の基準値を同一または略同一とすることができ、しかも、その白の基準値には画像を観察する際の照明の影響も反映されるので、ソフトプルーフにおいて、カラーモニタに表示される画像の色と、実際の印刷物の画像の色を良く一致させることができるソフトプルーフを行う方法、及びソフトプルーフを行う場合のカラーマッチングのために用いるプロファイルを作成する方法が提供される。
【図面の簡単な説明】
【００６８】
【図１】本発明に係るソフトプルーフを行う方法、及びプロファイルの作成方法の第１の実施形態を説明するためのフローチャートである。
【図２】本発明に係るソフトプルーフを行う方法、及びプロファイルの作成方法の第２の実施形態を説明するためのフローチャートである。
【図３】ソフトプルーフにおいてカラーマッチングを行うための色変換処理を説明するための図である。
【符号の説明】
【００６９】
１…出力デバイスプロファイル、２…カラーモニタプロファイル
【図１】
2005094400.tif 000003
【図２】
2005094400.tif 000004
【図３】
2005094400.tif 000005